(57)【要約】【課題】予め用意されていないフォーマットをプレビュー画面上の印字対象物に追記すること。【解決手段】画像形成装置本体の操作部のタッチパネルと、印刷処理実行コマンドを発生するタッチペンと、を備えた画像形成装置の制御方法であって、メモリと通信素子とを内蔵したタッチペンでタッチパネルのプレビュー画面をタッチすると、メモリに格納された文字画像データを画像形成装置本体の通信素子へ送信し、プレビュー画面上にその文字画像データを追記する。【選択図】図１
2014165708.tif 000002
【特許請求の範囲】
【請求項１】
画像形成装置本体の操作部のタッチパネルと、印刷処理実行コマンドを発生するタッチペンと、を備えた画像形成装置であって、
前記タッチペンは、メモリと通信素子とを内蔵し、前記タッチペンで前記タッチパネルのプレビュー画面をタッチすると、前記メモリに格納された文字画像データを前記画像形成装置本体の通信素子へ送信して、前記プレビュー画面上にその文字画像データが追記されるように制御する制御手段を備えたことを特徴とする画像形成装置に表示されるデータ受信ボタンをタッチすることで通信機能を有効とし、前記タッチペンで前記プレビュー画面上をタッチすることで、前記プレビュー画面上への文字画像データを追記できることを特徴とする画像形成装置。
【請求項２】
前記制御手段は、前記タッチペンに備わっているデータ送信ボタンがONされ、操作部のタッチパネルに表示されるデータ受信ボタンがタッチされることで通信機能を有効とし、前記タッチペンでプレビュー画面上がタッチされることで、プレビュー画面上への文字画像データを追記できるように制御することを特徴とする画像形成装置。
【請求項３】
前記タッチペンは、後端部に押し込みボタンを有し、
前記制御手段は、それぞれのボタンに固有のデータを割り振り、そのボタンがONされている際に前記タッチペンで前記プレビュー画面がタッチされると、そのボタンに対応した文字画像データを前記プレビュー画面上に追記するように制御することを特徴とする請求項１記載の画像形成装置。
【請求項４】
前記通信素子は、有線通信、無線通信、もしくは赤外線通信の何れかの通信を行う機能を有し、情報処理装置から文字画像データを前記タッチペンのメモリへ格納可能であることを特徴とする請求項１記載の画像形成装置。
【請求項５】
前記制御手段は、情報処理装置で前記タッチペンのメモリへのデータ転送ファイルを開き、番号が割り振られたフォルダに文字画像データを格納することで前記番号に対応するボタンと紐付けすることを特徴とする請求項１記載の画像形成装置。
【請求項６】
前記制御手段は、前記文字画像データの追記位置が予定した箇所から外れた場合、前記タッチペンでプレビュー画面が長押しされると、前記文字画像データを捉え、その文字画像データを前記タッチペンの移動に伴って移動するようにしたことを特徴とする請求項１記載の画像形成装置。
【請求項７】
前記制御手段は、誤った文字画像データが前記プレビュー画面上に追記された場合、前記文字画像データが前記タッチペンによるタッチで選択され、前記タッチパネル上に用意した削除ボタンから前記文字画像データを削除できるようにしたことを特徴とする請求項１記載の画像形成装置。
【請求項８】
前記制御手段は、前記タッチペンのメモリに格納された個人認証データ及び筆跡情報データと、前記画像形成装置本体のフォルダの一つに保存した個人認証データ及び筆跡情報データとの突き合わせをする際に、前記フォルダのフォルダナンバーに対応する前記タッチペンの押し込みボタンの押下げによるデータ送信ボタンのON操作で前記個人認証データ及び筆跡情報データとを送信することにより、セキュリティチェックを行うようにしたことを特徴とする請求項１記載の画像形成装置。
【請求項９】
画像形成装置本体の操作部のタッチパネルと、印刷処理実行コマンドを発生するタッチペンと、を備えた画像形成装置の制御方法であって、
メモリと通信素子とを内蔵した前記タッチペンで前記タッチパネルのプレビュー画面をタッチすると、前記メモリに格納された文字画像データを前記画像形成装置本体の通信素子へ送信し、前記プレビュー画面上にその文字画像データを追記することを特徴とする画像形成装置の制御方法。
【請求項１０】
画像形成装置本体の操作部のタッチパネルと、印刷処理実行コマンドを発生するタッチペンと、を備えた画像形成装置の実質的なコンピュータに、
メモリと通信素子とを内蔵したタッチペンが、前記タッチパネルのプレビュー画面をタッチする手順、
前記タッチペンの通信素子が、前記メモリに格納された文字画像データを前記画像形成装置本体の通信素子へ送信する手順、
制御手段が、前記プレビュー画面上にその文字画像データを追記する手順、
を実行させることを特徴とするプログラム。
【発明の詳細な説明】
【技術分野】
【０００１】
本発明は、画像形成装置、画像形成装置の制御方法、及びプログラムに関する。
【背景技術】
【０００２】
現在、複写機/プリンタの操作部のディスプレイには液晶表示素子（Liquid Crystal Display：以下、LCD）が使用されるのが一般的である。タッチ方式のLCDでは、液晶画面にユーザがタッチすることで印刷処理実行コマンドを送ることができる。液晶画面へのタッチ方法として、指によるタッチパネル接触、タッチペンによるタッチパネル接触等が知られている。
指によるタッチパネル接触は、タッチパネルに指紋跡が残ったり、タッチパネル自体が小さい場合には、意図した箇所以外を誤って選択したりするという問題があった。
そのような問題を解決する手段として、タッチペンによるタッチパネル接触がある。タッチペンの操作性の良さを利用した特許が提案されている（例えば、特許文献１〜３参照）。
【０００３】
特許文献１に記載の発明は、原稿の文字画像に加工を施すことが可能な画像形成装置を形成することを目的とする。この発明は、タッチペンにより指定された文字画像データを削除する構成、タッチペンにより指定された文字画像データを所定の倍率に拡大/縮小できる構成、及びユーザの意図に沿った手書き情報を文字画像データに適切に追加する構成を有する。
【０００４】
特許文献２に記載の発明は、撮影した画像に対して、簡単な操作で複雑な編集作業を行うことができるようにすることを目的とする。この発明は、画像を編集する複数のペンツールもしくはスタンプツールを用意し、ユーザによる操作に基づいて、所定の模様画像の色もしくは形状を変化させて描画する構成を有する。
【０００５】
特許文献３に記載の発明は、手書きサインによる個人認証方式において、本人のなりすましを防止することを目的とする。この発明は、予め登録されている登録手書きサイン情報、及びその手書きサインが入力される際の経過時刻情報に基づいて個人認証を実行する構成を有する。
【発明の概要】
【発明が解決しようとする課題】
【０００６】
しかし、通常のプレビュー画面上での印字対象物への文字画像データ追記は、タッチペンによる手書きか、予め用意されているフォーマットへの追記はできるが、予め用意されていないフォーマットをプレビュー画面上の印字対象物に追記できない。
また、タッチペンによる個人認証において、登録手書きサイン情報が他人に漏れると、経過時刻情報により認証保護されるように思われるが、手書きサインの経過時刻自体にそれほど個人差はない。このため、数回の試みにより、他人が本人のなりすましを行えるという問題があった。
【０００７】
そこで、本発明の目的は、予め用意されていないフォーマットをプレビュー画面上の印字対象物に追記することができることにある。
【課題を解決するための手段】
【０００８】
上記課題を解決するため、請求項１に記載の発明は、画像形成装置本体の操作部のタッチパネルと、印刷処理実行コマンドを発生するタッチペンと、を備えた画像形成装置であって、前記タッチペンは、メモリと通信素子とを内蔵し、前記タッチペンで前記タッチパネルの前記プレビュー画面をタッチすると、前記メモリに格納された文字画像データを前記画像形成装置本体の通信素子へ送信して、前記プレビュー画面上にその文字画像データが追記されるように制御する制御手段を備えたことを特徴とする画像形成装置に表示されるデータ受信ボタンをタッチすることで通信機能を有効とし、前記タッチペンで前記プレビュー画面上をタッチすることで、前記プレビュー画面上への文字画像データを追記できることを特徴とする。
【発明の効果】
【０００９】
本発明によれば、予め用意されていないフォーマットをプレビュー画面上の印字対象物に追記することができる。
【図面の簡単な説明】
【００１０】
【図１】（ａ）は、一実施の形態に係る画像形成装置の操作部へのタッチペンによるデータ追記前の状態を示す図である。（ｂ）は、（ａ）のタッチペンによるデータ追記後の状態を示す図である。（ｃ）は、（ａ）に示したタッチペンのブロックダイヤグラムの一例である。
【図２】（ａ）は、他の実施の形態に係る画像形成装置の操作部へのタッチペンによるデータ追記前の状態を示す図であり、（ｂ）は、（ａ）のタッチペンによるデータ追記後の状態を示す図である。
【図３】（ａ）、（ｂ）は、タッチペン１３の変形例を示す外観図である。
【図４】文字画像データ追記の状態遷移図の一例である。
【図５】（ａ）、（ｂ）は、タッチペンに内蔵されたメモリ５４への文字画像データ転送動作の説明図である。
【図６】（ａ）、（ｂ）は、情報処理装置としてのパソコン２０を用いた各フォルダへの文字画像データの選別指定動作と、タッチペン１３の押し込み式のボタン群１５との紐付け動作の説明図である。
【図７】（ａ）〜（ｃ）は、タッチペンによるプレビュー画面への追記で、誤った位置に追記してしまった場合の修正動作の説明図である。
【図８】タッチペンによるデータ追記時の誤位置修正動作についての状態遷移のフローチャートの一例である。
【図９】（ａ）〜（ｃ）は、誤った文字画像データの削除動作についての説明図である。
【図１０】図９（ａ）〜（ｃ）に示した動作の状態遷移を示すフローチャートの一例である。
【図１１】誤ったデータ文字画像データを追記してしまった場合の削除方法の状態遷移を示すフローチャートの一例である。
【図１２】（ａ）〜（ｃ）は、セキュリティ保存と個人認証方法の説明図である。
【図１３】筆跡認証ログインの状態遷移を示すフローチャートの一例である。
【図１４】例えば図１に示した操作パネル１２及びタッチペン１３による操作が可能な画像形成装置の構成図である。
【発明を実施するための形態】
【００１１】
＜実施形態１＞
図１（ａ）は、一実施の形態に係る画像形成装置の操作部へのタッチペンによるデータ追記前の状態を示す図である。図１（ｂ）は、図１（ａ）のタッチペンによるデータ追記後の状態を示す図である。図１（ｃ）は、図１（ａ）に示したタッチペンのブロックダイヤグラムの一例である。
【００１２】
画像形成装置としての複写機/プリンタの操作部ディスプレイ１０のディスプレイに操作パネル（LCD）１２を採用し、印刷処理実行コマンドを発生させるタッチペン１３を配備し、そのタッチペン１３にメモリ５４及び通信素子を内蔵させたものである。
【００１３】
プレビュー画面１１にて（図１（ａ））、タッチペン１３でプレビュー画面１１をタッチすることで、メモリ５４に格納された文字画像データを複写機/プリンタへ無線送信し、プレビュー画面１１上にその文字画像データを追記できる（図１（ｂ））。
【００１４】
タッチペン１３は、画像形成装置本体との間の通信が無線通信方式の場合、主に制御回路５１、送信回路５２、受信回路５３、メモリ５４、及びバッテリー５５を有するが、各種ボタン１４やボタン群１５を有しても良い。制御回路５１は、例えばマイクロプロセッサが挙げられる。送信回路５２は、例えば水晶発振回路、逓倍回路、信号発生回路、及び変調回路を有する。受信回路は、例えば、周波数変換回路、中間増幅回路、検波回路、ＡＤ変換回路を有する。これら送信回路５２及び受信回路５３及び制御回路５１は、通信素子として内蔵アンテナに接続されている。
メモリ５４には、例えば、ＲＡＭ（Random Access Memory）もしくはフラッシュメモリが挙げられる。
バッテリー５５には、例えば、リチウムイオンバッテリーが挙げられるが限定されなく、空気電池、ボタン電池のいずれを用いてもよい。
【００１５】
タッチペン１３と画像形成装置本体との間の通信が有線通信の場合には、例えば、コネクタ、シリアルパラレル変換回路、パラレルシリアル変換回路等が挙げられる。
タッチペン１３と画像形成装置本体との間の通信が赤外線通信の場合、A/D変換器、D/A変換器、変復調回路、制御回路等を集積回路化したチップに赤外線ＬＥＤ、及びフォトトランジスタを接続することが考えられる。尚、セキュリティの観点から赤外線信号を暗号化して変調し、復調時に所定のキーに基づいて解読するように構成してもよい。尚、A/DはAnalog/Digitalの略であり、D/AはDigital/Analogの略であり、ＬＥＤはLight Emitted Diodeの略である。
【００１６】
＜実施形態２＞
図２（ａ）は、他の実施の形態に係る画像形成装置の操作部へのタッチペンによるデータ追記前の状態を示す図であり、図２（ｂ）は、図２（ａ）のタッチペンによるデータ追記後の状態を示す図である。
【００１７】
図２（ａ）、（ｂ）に示すタッチペン１３はデータ送信ボタン１４を有するものとする。
タッチペン１３に内蔵されている通信素子を用いて、複写機/プリンタに文字画像データを追記する方法について説明する。
タッチペン１３に備わっているデータ送信ボタン１４をON操作し、操作部ディスプレイ１０上に表示されるデータ受信ボタン１２ａをタッチすることで無線通信機能を有効とすることができる。その後タッチペン１３でプレビュー画面１１の所定の欄、例えば捺印欄１１ａ上をタッチすることで、プレビュー画面１１上への文字画像データとしての印影を追記できるものとする。
【００１８】
＜変形例＞
図３（ａ）、（ｂ）は、タッチペン１３の変形例を示す外観図である。
タッチペン１３に内蔵されたメモリ５４へは複数の文字画像データを格納できるものとする。タッチペン１３によるプレビュー画面１１（例えば、図１（ａ）参照）へのタッチ時における、文字画像データ識別方法を説明する。
タッチペン１３の後端部に、例えば多色ボールペンで使用されているような切り替え式の押し込みボタン群を配置し（図３（ａ））、もしくは固定型の押し込み色ボタン群を用意し（図３（ｂ））する。それぞれのボタン群１５に固有のデータを割り振り、そのボタン群１５のいずれかのボタンがON操作されている際にタッチペン１３でプレビュー画面１１をタッチすることで、そのボタンに対応した文字画像データをプレビュー画面１１上に追記できる。
【００１９】
（動作１）
図４は、文字画像データ追記の状態遷移図の一例である。
動作の主体は、図には示さない画像形成装置本体の制御回路である。
１．押し込みボタンの選択により、タッチペンに内蔵されたメモリ５４の格納データで、どのデータを無線送信対象にするかを決める（ステップＳ１）。
２．タッチペンのデータ送信ボタンをON操作し（ステップＳ２）、及び操作部ディスプレイのデータ受信ボタンをタッチすることで（ステップＳ３）、無線通信機能を有効にし、複写機/プリンタ搭載の無線通信素子に向けてデータを送信する（ステップＳ４）。
３．複写機/プリンタに備わっているSoC（System on Chip）で無線データ受信可否を確認し（ステップＳ５）、受信ができていれば（ステップＳ５／ＹＥＳ）、複写機/プリンタ搭載メモリにデータを保存する（ステップＳ６）。受信ができていなければ（ステップＳ５／Ｎｏ）、データ送信を続ける（ステップＳ４）。
４．タッチペンでプレビュー画面上をタッチすることで（ステップＳ７）、そのタッチポイントに複写機/プリンタ搭載メモリからデータを読み込み、データ表示させる（ステップＳ８）。
【００２０】
（動作２）
図５（ａ）、（ｂ）は、タッチペンに内蔵されたメモリ５４への文字画像データ転送動作の説明図である。
タッチペン１３に内蔵されたメモリ５４への文字画像データの格納は、パソコン２０からタッチペン１３のメモリ５４へのデータ転送によって実施するものとする。
接続方法の一つとして、パソコン２０及びタッチペン１３の両者をケーブル２１で接続することが挙げられる。他の方法として、パソコン２０からデータを無線送信し、タッチペン１３のデータ受信ボタン１７を押すことで、両者を無線接続することが挙げられる。尚、無線通信の代わりに赤外線通信を用いてもよい。
【００２１】
また、図３（ａ）、（ｂ）で説明したように本構成では、タッチペン１３に押し込みボタン群１５を配置しており、ボタン選択によって追記データを識別できる。それは、パソコン２０上でタッチペン１３のメモリ５４へのデータ転送ファイルを開き、各番号としてのフォルダナンバーが割り振られたフォルダに文字画像データを入れた状態で無線通信するものである。この無線通信により、その番号に対応するボタンと紐付けされるものとする（図５（ａ）、（ｂ））。
【００２２】
（動作３）
図６（ａ）、（ｂ）は、パソコン２０を用いた各フォルダへの文字画像データの選別指定動作と、タッチペン１３の押し込み式のボタン群１５との紐付け動作の説明図である。
図６（ａ）にはデータ転送ファイル３０が示されており、データ転送ファイル３０は、例えば９個のフォルダ１〜フォルダ９を有する。図６（ｂ）には切り替え式のボタン群１５（Ｂ１〜Ｂ９）のうち２番目のボタンである、Ｂ２が押し込まれている。タッチペン１３はデータ受信ボタン１７を有し、データ受信ボタン１７をON操作した状態で、ドラッグ及びドロップすることにより、フォルダ２が選択される。
【００２３】
（動作４）
図７（ａ）〜（ｃ）は、タッチペンによるプレビュー画面への追記で、誤った位置に追記してしまった場合の修正動作の説明図である。
タッチペン１３によるプレビュー画面１１へのタッチによって、プレビュー画面１１に文字画像データを追記した際に、追記位置が予定した箇所から外れてしまった場合がある（図７（ａ））。
【００２４】
このような場合には、タッチペン１３でプレビュー画面１１を長押し（例えば、５秒）することで、文字画像データを捉えることができる（図７（ｂ））。
タッチペン１３をプレビュー画面１１に押さえながら移動することでその文字画像データとしての印影を移動することができる（図７（ｃ））。
【００２５】
（動作５）
図８は、タッチペンによるデータ追記時の誤位置修正動作についての状態遷移のフローチャートの一例である。
動作の主体は、図には示さない画像形成装置本体の制御回路である。
まず、ユーザがタッチペン１３でプレビュー画面１１上に追記した追記データを選択する（ステップＳ１１）。
複写機/プリンタに内蔵されたメモリに格納済みの追記データを認識する（ステップＳ１２）。
タッチペン１３で追記データをドラッグ＆ドロップする（ステップＳ１３）。
ドロップポイントのプレビュー画面１１の一をＳｏＣ（System on a Chip）で把握する（ステップＳ１４）。
元々表示されている追記データを削除し、ドロップポイントに追記データを表示させる（ステップＳ１５）。
【００２６】
（動作６）
図９（ａ）〜（ｃ）は、誤った文字画像データの削除動作についての説明図である。
「理高」とすべきところを誤って「理工」の文字画像データをプレビュー画面１１上に追記してしまった場合を想定する（図９（ａ））。
「理工」の文字画像データをタッチペン１３でタッチすることにより選択し（図９（ｂ））、操作パネル１２上のプレビュー画面１の脇に用意した削除ボタン１２ｂをタッチすることで誤った文字画像データを削除できる（図９（ｃ））。
【００２７】
（動作７）
図１０は、図９（ａ）〜（ｃ）に示した動作の状態遷移を示すフローチャートの一例である。
動作の主体は、図には示さない画像形成装置本体の制御回路である。
まず、タッチペン１３でプレビュー画面１１上に追記した追記データを選択する（ステップＳ２１）。
複写機/プリンタに内蔵されたメモリに格納済みの追記データを認識する（ステップＳ２２）。
タッチペン１３でプレビュー画面１１上の削除ボタン１２ｂを押す（ステップＳ２３）。
認識データを削除する（ステップＳ２４）。
【００２８】
（動作８）
図１１は、誤ったデータ文字画像データを追記してしまった場合の削除方法の状態遷移を示すフローチャートの一例である。
タッチペン１３によるプレビュー画面１１への追記を行っただけでは、その後印刷をスタートしても、追記前のプレビュー画面１１が印刷される。なぜなら、プレビュー画面１１に至る前までに画像処理は完了しており、その処理結果に従って印刷するためである。プレビュー画面１１が表示されるまでの複写機/プリンタの印刷処理状態遷移は以下の通りである。
【００２９】
動作の主体は、図には示さない画像形成装置本体の制御回路である。
スキャンする（ステップＳ３１）。
データ変換及び補正処理を行う（ステップＳ３２）。
プレビュー画面１１の表示を行う（ステップＳ３３）。
タッチペン１３によるデータ追記がなされる（ステップＳ３４）。
図には示されない印刷スタートボタンがON操作される（ステップＳ３５）。
データ変換及び補正処理がなされる（ステップＳ３６）。
書き込み処理が開始される（ステップＳ３７）。
【００３０】
ここで、タッチペン１３によるデータ追記は画像処理、例えばデータ変換、補正処理の後なので、このまま印刷処理を実行しても、追記前のプレビュー画面１１が印刷されてしまうわけである。
【００３１】
本構成では、追記後のプレビュー画面１１を印刷できるように、以下の印刷処理状態遷移とする。
すなわち、印刷スタートボタン押下→プレビュー画面１１及び追記データをデータ変換、補正処理→書き込み処理開始の順に状態が遷移する。
【００３２】
（動作９）
図１２（ａ）〜（ｃ）は、セキュリティ保存と個人認証方法の説明図である。
タッチペン１３に内部されたメモリ５４に複写機/プリンタへのログイン認証情報データに加えて、筆跡データも格納し、複写機/プリンタへのログイン時には２重のセキュリティチェックを行うことができるものとする。
そのログイン認証データ及び筆跡データは図５で説明したデータ転送ファイル内のフォルダの一つに個人認証データフォルダや、筆跡認証データフォルダなどを用意しておき、そこに各データを入れておくことで、認証システムの代替として機能させることができる。
【００３３】
複写機/プリンタへのログインには、個人認証データの読み取り部にタッチペン１３を近づけ、個人認証データが保存された押し込み式のボタン群１５のいずれかを押下し、データ送信ボタン１４をON操作することで、データを送信することで実施させる。
また、筆跡認証には、ログイン時に操作パネル１２上に筆跡認証データで記載されているデータを書き込み、かつタッチペン１３のメモリ５４に格納してある筆跡認証データを、無線機能を用いて複写機/プリンタ側に送信する。両データを複写機/プリンタで比較して、認証処理を実施する。
【００３４】
（動作１０）
図１３は、筆跡認証ログインの状態遷移を示すフローチャートの一例である。
まず、タッチペン配備の押し込みボタンの筆跡認証データに関連付けされたボタンを選択する（ステップＳ４１）。
タッチペン１３のデータ送信ボタンをON操作する（ステップＳ４２）。
操作部ディスプレイ１０上データ受信ボタン１２ａをタッチする（ステップＳ４３）。
筆跡認証データをタッチペン１３に内蔵された通信素子で複写機/プリンタに送信する（ステップＳ４４）。
複写機/プリンタに搭載されたメモリにデータを保存する（ステップＳ４５）。
タッチペン１３でプレビュー画面１１上に、筆跡データを描く（ステップＳ４６）。
描画した筆跡データと複写機/プリンタ搭載メモリに格納されたデータとを照合する（ステップＳ４７）。
データ照合の結果、合致した場合にはログインして終了し（ステップＳ４８）、非合致の場合にはステップＳ４６に戻る。
【００３５】
＜実施形態３＞
（構  成）
図１４は、例えば図１に示した操作パネル１２及びタッチペン１３による操作が可能な画像形成装置の構成図である。
本発明に係る画像形成装置の構成について、図１４を参照して説明する。
画像形成装置は以下の構成を有する。
回転可能に支持されて図１４の矢印方向に回転する感光体２０１の外周部には、除電装置Ｌと、クリーニング装置２０２と、帯電装置２０３と、現像装置２０５とが配設されている。
【００３６】
感光体２０１の外周部における帯電装置２０３と現像装置２０５との間には、露光装置２０４から発せられる光情報を入射させるスペースが確保されている。
図１４に示す構成では感光体２０１が４個（２０１ａ、２０１ｂ、２０１ｃ、２０１ｄ）あるが、現像装置２０５が扱う色材（トナー）の色が異なるのみであり、それぞれの外周部に設けられる画像形成用の上述した部品構成は同じである。
【００３７】
感光体２０１は、直径が３０ｍｍから１００ｍｍ程度のアルミニウム円筒表面に、光導電性物質である有機半導体の層を設けて構成され、その一部が中間転写ベルトとしての第１の顕像担持手段２１０に接している。
【００３８】
中間転写ベルト２１０は、回転するローラ２１１、２１２、２１３、２１４により支持され、図１４の矢印方向に移動可能に張架されている。この中間転写ベルト２１０の裏側、すなわちループの内側には、第１の転写手段としてのローラ２１２が感光体２０１の近傍に配備され、感光体２０１上の顕像を中間転写ベルト２１０に転写させる。
【００３９】
中間転写ベルト２１０のベルトループの外側における、中間転写ベルト２１０から顕像を用紙Ｐまたは裏面用中間転写ベルトとしての第２の顕像担持手段２００に転写する位置の下流に、中間転写ベルト用クリーニング装置２５０が配設されている。このクリーニング装置２５０のブラシは、中間転写ベルト２１０から顕像が他に転写された後でベルト表面に残留する不要なトナーを拭い去る。
【００４０】
図１４はブラシローラが裏面用中間転写ベルト２００の表面から離れた状態にある。このブラシローラは支点２５０Ａを中心として揺動可能に設けられ、裏面用中間転写ベルト２００表面に接離可能な構造になっている。
中間転写ベルト２１０からのトナー像を用紙Ｐに転写する以前である裏面用中間転写ベルト２００がトナー像を担持するときは離れ、用紙Ｐへの転写が行われてクリーニングが必要なときはブラシローラは図１４での反時計方向に揺動し接触される。
除去された不要トナーはトナー収納部２５０Ｂに集められる。
【００４１】
露光装置２０４は公知のレーザ方式によるもので、フルカラー画像形成に対応した光情報を、一様に帯電された感光体２０１表面に潜像として照射する。この露光装置２０４としては、ＬＥＤアレイと結像手段とから成る露光装置を用いてもよい。
【００４２】
このように、上述した感光体２０１と、クリーニング装置２０２と、帯電装置２０３と、露光装置２０４と、現像装置２０５と、除電装置Ｌと、第１の転写手段２１２とが、中間転写ベルト２１０に転写する顕像（トナーによる像）を生成する作像手段として機能する。
【００４３】
中間転写ベルト２１０は、基体の厚みが５０μｍ〜６００μｍの樹脂フィルムあるいはゴムを基体にしたベルトであり、感光体２１１からトナーを転写可能とする抵抗値を備える。
この中間転写ベルト２１０に対して図１４の右方には、ベルト状の裏面用中間転写ベルト（第２の顕像担持手段）２００が配設されている。この裏面用中間転写ベルト２００は、回転ローラ２１６、２１７、２１９により支持され、図１４の矢印方向に移動可能に張架されており、裏側、すなわちループの内側には、第２の転写手段２1８が配設されている。裏面用中間転写ベルト２００によるベルトループの外側に、この裏面用中間転写ベルト用クリーニング装置２５０、チャージャＣＨ、などが配設されている。
【００４４】
上述した第２の転写手段２１８と、ローラ２１６、２１７、２１９と、中間転写ベルト２１０を支持するローラ２１４とにより、中間転写ベルト２１０と裏面用中間転写ベルト２００とが接触し、予め定められた転写ニップを形成する。
【００４５】
裏面用中間転写ベルト２００は、基体の厚みが５０μｍ〜６００μｍの樹脂フィルムあるいはゴムを基体にしたベルトで、中間転写ベルト２１０からトナーを転写可能とする抵抗値を備えるベルトである。
【００４６】
用紙Ｐは図１４の下方の給紙装置としての給紙カセット２２６−１、２２６−２に収納されており、最上にある用紙が給紙ローラ２２７で１枚ずつ、複数のガイド２２９を経てレジストローラ対２２８に搬送される。
用紙Ｐが搬送されるさらに下流には、定着用加熱手段２３０、排紙ガイド対２３１、排紙ローラ対２３２、排紙スタック部２４０が配設されている。
【００４７】
図１４における中間転写ベルト２１０の上方で排紙スタック部２４０の下方には、補給用のトナーが収納できる収納部ＴＳが設けてある。トナーの色はマゼンタ、シアン、イエロー、ブラックの四色があり、カートリッジＴＣの形態にされている。このカートリッジＴＣからは、粉体ポンプ等により対応する色の現像装置に適宜補給される。
【００４８】
こうした装置本体の一部であるフレーム２５１は、開閉支軸２５１Ａを中心として、回動・開放が可能な構造にされている。このため、ユーザはこのフレーム２５１を開いた状態とすることにより用紙の搬送路を大きく開くことができ、ジャムが発生した場合の用紙の処理を容易にしている。
【００４９】
また、上述した用紙Ｐへの画像形成を行う装置本体の上部に画像読み取り装置が支持部２６６を介して連設され、この画像読み取り装置により読み取られた画像データを上述した装置本体が用紙Ｐに印刷することで、コピー動作を可能にするよう構成されている。
【００５０】
画像読み取り装置の外周部には、操作・表示部である表示手段、かつ入力手段が設けられている。この操作・表示部は、ユーザに各種の操作情報を表示により通知すると共に操作入力を受ける操作パネル１２、タッチペン１３、テンキー等各種のボタンを備える。
ユーザは、この操作・入力部により、コピーの片面/両面切り替え、コピー動作の開始、コピー枚数の設定、コピー機能とプリンタ機能との切り替えなどの各種操作を行う。
【００５１】
＜動作１１＞
次に、本実施形態としての画像形成装置により両面印刷を行う場合の動作について説明する。
まず作像手段による作像が行われる。
露光装置２０４の動作により、不図示のＬＤ（Laser Diode）光源からの光は、不図示の光学部品を経て、帯電装置２０３により一様に帯電された感光体２０１のうち、まず感光体２０１ａ上に至り、書き込み情報（色に応じた情報）に対応した潜像を形成する。
【００５２】
感光体２０１ａの潜像は現像装置２０５で現像され、トナーによる顕像が感光体２０１ａの表面に形成・保持される。このトナー像は、第１の転写手段２１２により、感光体２０１ａと同期して移動する中間転写ベルト２１０の表面に転写される。
感光体２０１ａの表面は、残存するトナーがクリーニング装置２０２でクリーニングされ、除電装置Ｌで除電され次の作像サイクルに備える。
【００５３】
中間転写ベルト２１０は、表面に転写されたトナー像を坦持し、図１４の矢印の方向に移動する。上述した感光体２０１ａの場合と同様の動作により、感光体２０１ｂには別の色に対応する潜像が書き込まれ、その対応する色のトナーで現像され顕像が形成される。この顕像は、すでに中間転写ベルト２１０に転写されている前の色の顕像に重ねられ、最終的に感光体２０１ａから感光体２０１ｄにより形成された４色の顕像が重ねられる。
【００５４】
このとき同期して裏面用中間転写ベルト２００は矢印方向に移動していて、中間転写ベルト２１０表面に転写された顕像が、第２の転写手段２２０の作用により裏面用中間転写ベルト２００の表面に転写される。
本実施形態としての画像形成装置は、いわゆるタンデム形式である４個の感光体２０１上で顕像が形成されながら、中間転写ベルト２１０および裏面用中間転写ベルト２００が搬送移動し、作像が進められる。このため、感光体２０１上に顕像を形成して中間転写ベルト２１０、裏面用中間転写ベルト２００まで転写していく工程に要する時間が短縮できる構成となっている。
【００５５】
中間転写ベルト２１０が所定のところまで搬送移動すると、用紙Ｐのもう一方の面（表面）に転写されるべきトナー画像が、上述した工程で再度作像手段Ｇにより作像され、給紙が開始される。
給紙ローラ２２７が反時計方向に回転すると、給紙装置（給紙カセット）２２６−１、２２６−２内の最上部にある用紙Ｐが引き出され、レジストローラ対２２８に搬送される。
【００５６】
レジストローラ対２２８を経て、中間転写ベルト２１０と裏面用中間転写ベルト２００との間に搬送された用紙Ｐの片側の面（表面）に、中間転写ベルト２１０表面のトナー像が第２の転写手段２２０により転写される。
さらに用紙Ｐは図１４における上方に搬送され、裏面用中間転写ベルト２００表面のトナー像が、チャージャＣＨにより用紙Ｐのもう一方の面（裏面）に転写される。転写に際して、用紙Ｐは画像の位置が正規のものとなるよう、タイミングがとられて搬送される。
【００５７】
本実施形態では、感光体２０１上に作像されるトナーの極性はマイナスである。第１の転写手段２１２にプラスの電荷を与えることで、感光体２０１に作像された顕像（トナー）は中間転写ベルト２１０に転写される。さらに、第２の転写手段２１９にプラスの電荷を与えることで、中間転写ベルト２１０に作像されたトナーは裏面用中間転写ベルト２００に転写される。
上述のように中間転写ベルト２１０表面のトナーが用紙Ｐの片側の面（表面）に転写された後、チャージャＣＨからプラス極性の電荷与えることで、裏面用中間転写ベルト２００表面のマイナス極性のトナーは吸引されて、用紙Ｐの他の面（裏面）に転写される。
【００５８】
上述した動作により両面にトナー像が転写された用紙Ｐは、定着手段２３０に送られ、用紙上の両面のトナー像が一度に溶融、定着され、ガイド対２３１を経て排紙ローラ対２３２により本体フレーム上部の排紙スタック部２４０に排出される。
【００５９】
＜作用効果＞
以上において、本実施形態によれば、タッチペンの内部にメモリと通信素子とを配備しておく。スキャナで原稿を読み取り後にプレビュー画面を表示させた後、複写機/プリンタのプレビュー画面上をタッチペンでタッチすることで、無線機能を用いてタッチペン内部メモリに格納している文字画像データをプレビュー画面上に転送できる。
また、タッチペン内部メモリに複写機/プリンタへのログイン認証情報データに加えて、筆跡情報データも格納し、複写機/プリンタへのログイン時には２重のセキュリティチェックを行うことで本人のなりすましを防止できる。
これにより、予め用意されていないフォーマットをプレビュー画面上の印字対象物に追記することができる。また、タッチペンによる個人認証において、本人のなりすまし防止の精度を向上させることができる。
【００６０】
＜プログラム＞
以上で説明した本発明に係る画像形成装置は、コンピュータで処理を実行させるプログラムによって実現される。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行う。
【００６１】
例えば、
画像形成装置本体の操作部のタッチパネルと、印刷処理実行コマンドを発生するタッチペンと、を備えた画像形成装置の実質的なコンピュータに、
メモリと通信素子とを内蔵したタッチペンが、タッチパネルのプレビュー画面をタッチする手順、
タッチペンの通信素子が、メモリに格納された文字画像データを画像形成装置本体の通信素子へ送信する手順、
制御手段が、プレビュー画面上にその文字画像データを追記する手順、
を実行させるプログラムが挙げられる。
【００６２】
これにより、プログラムが実行可能なコンピュータ環境さえあれば、どこにおいても本発明に係る画像形成装置を実現することができる。
このようなプログラムは、コンピュータに読み取り可能な記憶媒体に記憶されていてもよい。
【００６３】
＜記憶媒体＞
ここで、記憶媒体としては、例えばＣＤ−ＲＯＭ、フレキシブルディスク（ＦＤ）、ＣＤ−Ｒ等のコンピュータで読み取り可能な記憶媒体、フラッシュメモリ、ＲＡＭ、ＲＯＭ、ＦｅＲＡＭ等の半導体メモリやＨＤＤが挙げられる。
【００６４】
ＣＤ−ＲＯＭは、Compact Disc Read Only Memoryの略である。フレキシブルディスクは、Flexible Disk：ＦＤを意味する。ＣＤ−Ｒは、CD Recordableの略である。ＲＡＭは、Random-Access Memoryの略である。ＲＯＭは、Read-Only Memoryの略である。ＦｅＲＡＭは、Ferroelectric RAMの略で、強誘電体メモリを意味する。ＨＤＤは、Hard Disc Driveの略である。
【００６５】
尚、上述した実施の形態は、本発明の好適な実施の形態の一例を示すものであり、本発明はそれに限定されることなく、その要旨を逸脱しない範囲内において、種々変形実施が可能である。例えば、上述した実施の形態では、タッチペンのボタンが切り替え式の場合で説明したが、回転式のボールペンのように構成してもよい。
【符号の説明】
【００６６】
１０    操作部ディスプレイ
１１    プレビュー画面
１１ａ    捺印欄
１２    操作パネル（ＬＣＤ）
１２ａ    データ受信ボタン
１２ｂ    削除ボタン
１３    タッチペン
１４    データ送信ボタン
１５    ボタン群
５１    制御回路
５２    送信回路
５３    受信回路
５４    メモリ
５５    バッテリー
２０１    感光体
２０２    クリーニング装置
２０３    帯電装置
２０４    露光装置
２０５    現像装置
２００    裏面用中間転写ベルト
２１０    中間転写ベルト（第一の顕像担持手段）
２１２    第一の転写手段
２３０    定着用加熱手段
２４０    排紙スタック部
Ｐ    用紙
【先行技術文献】
【特許文献】
【００６７】
【特許文献１】特開２００９−２０６６８５号公報
【特許文献２】特開２００３−２１９３２８号公報
【特許文献３】特開２００１−１５６９６７号公報
【図１】
2014165708.tif 000003
【図２】
2014165708.tif 000004
【図３】
2014165708.tif 000005
【図４】
2014165708.tif 000006
【図５】
2014165708.tif 000007
【図６】
2014165708.tif 000008
【図７】
2014165708.tif 000009
【図８】
2014165708.tif 000010
【図９】
2014165708.tif 000011
【図１０】
2014165708.tif 000012
【図１１】
2014165708.tif 000013
【図１２】
2014165708.tif 000014
【図１３】
2014165708.tif 000015
【図１４】
2014165708.tif 000016